(57)【要約】【課題】  防雪パネルの吊り上げ作業を人力でかつ作業性よくかつ防雪柵に近い範囲内で行なうことができるパネル着脱式防雪柵を提供する。【解決手段】  支柱２に、係合穴７ａを形成するパネル受けブラケット７を固定し、防雪パネル３の側端に、前記係合穴７ａに挿入される貫通の筒体部３１を持つ係合部材８を固定する。吊りワイヤ３４に取り付けた吊りフック３３を、係合部材８の筒体部３１に挿入し、先端の引掛け部３３ｂを筒体部３１の下端筒壁に引っ掛けて、係合部材８をブラケット７に係合させる。フック外れ止め３５を設ける。支柱２の上端に、柵面と平行な面内で回転する滑車を取り付ける。係合部材８に通した吊りフック３３で防雪パネル３を吊ったまま、係合部材８をブラケット７に係合させて、防雪パネル３を吊ることができる。防雪パネル３を吊り上げる作業を人力で行なうことができ、かつその作業性は良好である。【選択図】  図１３
2005155269.tif 000002
【特許請求の範囲】
【請求項１】
道路に沿って間隔をあけて立設した支柱間に、複数の防雪パネルを着脱可能に取り付けたパネル着脱式防雪柵において、
支柱の上端部に滑車を有する滑車部を設け、支柱に上下に間隔をあけて、係合穴が形成される複数のパネル受けブラケットを設け、前記防雪パネルの左右側端のほぼ中央に前記パネル受けブラケットの係合穴と係合可能な係合部材を設け、この係合部材は、防雪パネルの左右側端に外側横向きに突設した支軸とこの支軸に垂直に固定された、吊りフックを挿入可能な貫通の筒体部とからなるとともに前記筒体部が前記パネル受けブラケットの係合穴に挿入されて前記パネル受けブラケットと係合する構成であることを特徴とするパネル着脱式防雪柵。
【請求項２】
請求項１のパネル着脱式防雪柵の立ち上げ・収納時の防雪パネル着脱に際して防雪パネルを吊り上げる防雪パネル吊り上げ方法であって、
前記滑車に通した吊りワイヤの端部に、棒状体の先端部にＪ字形に屈曲した引掛け部を持つ吊りフックを取り付け、前記吊りフックを防雪パネルの係合部材の筒体部に挿入し引掛け部を筒体部の下端筒壁に係合させて、防雪パネルを吊り上げることを特徴とする防雪パネル吊り上げ方法。
【請求項３】
請求項１のパネル着脱式防雪柵の立ち上げ・収納時の防雪パネル着脱に際して防雪パネルを吊り上げるための防雪パネル吊り上げ装置であって、
前記滑車に通された吊りワイヤとその端部に取り付けられた吊りフックとを備えるとともに、前記吊りフックは、棒状体の先端部にＪ字形に屈曲した引掛け部を持ち、防雪パネルの係合部材の筒体部に挿入した時、前記引掛け部が筒体部の下端筒壁に係合可能であることを特徴とする防雪パネル吊り上げ装置。
【請求項４】
前記吊りフックは、防雪パネルの係合部材の筒体部に係合して防雪パネルを吊ったまま、パネル受けブラケットの係合穴に挿入可能な形状であることを特徴とする請求項３記載の防雪パネル吊り上げ装置。
【請求項５】
前記吊りフックが係合部材の筒体部内を下降することを防ぐフック外れ止めを備えたことを特徴とする請求項３〜４記載の防雪パネル吊り上げ装置。
【請求項６】
前記フック外れ止めが丸棒をコ字形に折曲した形状であり、前記吊りフックの中間部に、前記フック外れ止めを挿入可能なリング体を固定したことを特徴とする請求項５記載の防雪パネル吊り上げ装置。
【請求項７】
前記滑車部が、支柱の上端部に、上下に抜き差しする形で着脱可能であることを特徴とする請求項１記載のパネル着脱式防雪柵。
【請求項８】
前記滑車が、柵面と平行な平面内で回転する向きで設けられていることを特徴とする請求項１又は７記載のパネル着脱式防雪柵。
【請求項９】
支柱がＨ形鋼であり、前記滑車部の滑車を支持する滑車フレームが、Ｈ形鋼のフランジ部を囲む長方形筒状をなすとともに、その下側部分に、Ｈ形鋼のウエブ部をかわす切欠きを備えたことを特徴とする請求項７又は８記載のパネル着脱式防雪柵。
【請求項１０】
前記滑車部に、滑車を上方から下向きコ字形に囲むコ字形断面のワイヤガイドを設けたことを特徴とする請求項１、７、８又は９記載のパネル着脱式防雪柵。
【発明の詳細な説明】
【技術分野】
【０００１】
この発明は、複数の防雪パネルを支柱に着脱可能に取り付けたパネル着脱式防雪柵に関し、特に、防雪パネルの着脱作業時に防雪パネルの吊り上げを容易にしたパネル着脱式防雪柵、及び、防雪パネル吊り上げ方法、及び、防雪パネル吊り上げ装置に関する。
【背景技術】
【０００２】
路面上の雪を吹き払う機能を持たせたいわゆる吹払式防雪柵の場合、複数の防雪パネルを風上側が高くなる傾斜で支柱に上下に間隔をあけて取り付ける。また、遮蔽防雪面を持ついわゆる吹き止め式防雪柵の場合でも、遮蔽防雪面を複数の防雪パネルに分割して支柱に取り付ける構造とする場合がある。このように、複数の防雪パネルを支柱に取り付けた構造の防雪柵において、冬季以外の季節に防雪パネルを収納できるようにしたものが種々あるが、その場合の防雪パネルの収納方式として、（１）防雪パネルを1枚ずつ取り外して柵の下部に保管しておく構造（実開昭６３−１５６２１５号公報、特開２００２−１３８４１７号公報参照）、（２）防雪パネルをリンク式、パンタグラフ式として、吊りワイヤーで下部または上方に折り畳んでおく構造のもの（特許第２９０９４００号公報、登録実用新案第３０９０２０５号公報参照）等がある。
【特許文献１】実開昭６３−１５６２１５号公報
【特許文献２】特開２００２−１３８４１７号公報
【特許文献３】特許第２９０９４００号公報
【特許文献４】登録実用新案第３０９０２０５号公報
【発明の開示】
【発明が解決しようとする課題】
【０００３】
上記従来の各防雪柵において、防雪パネルを1枚ずつ取り外して収納する構造の場合、防雪柵が小型の場合は大きな障害はないが、大型の防雪柵の場合は、取り付け・取り外しが容易でなく、実用的でない。例えば、防雪パネルが長さ４ｍ、重量１００kgを超えると、人力では不可能なので、簡易式のクレーン車（いわゆるユニック車）等で吊り上げることが必要となるが、この場合、クレーン車が道路を占拠するために、車両の走行に支障をきたすことになる。吊り上げ・吊り下げの都度玉掛けが必要となるので、煩雑であり作業時間がかかる、吊りワイヤが防雪パネルから外れる恐れがある。
【０００４】
また、リンク式やパンタグラフ式の場合、吊りワイヤを滑車に通すことで、人力でも防雪パネルの取り付け、取り外しが可能であるが、防雪柵の１スパンごとに、支柱上端に滑車、支柱下部にウインチを取り付ける必要があり、費用がかさむことになる。
【０００５】
本発明は上記従来の欠点を解消するためになされたもので、道路を占拠するクレーン車等を用いることなく人力でかつ作業性よく、防雪パネルの吊り上げを行なうことができ、かつ費用も安く済むパネル着脱式防雪柵、及び、防雪パネル吊り上げ方法、及び防雪パネル吊り上げ装置を提供することを目的とする。
【課題を解決するための手段】
【０００６】
上記課題を解決する請求項１の発明は、道路に沿って間隔をあけて立設した支柱間に、複数の防雪パネルを着脱可能に取り付けたパネル着脱式防雪柵において、
支柱の上端部に滑車を有する滑車部を設け、支柱に上下に間隔をあけて、係合穴が形成される複数のパネル受けブラケットを設け、前記防雪パネルの左右側端のほぼ中央に前記パネル受けブラケットの係合穴と係合可能な係合部材を設け、この係合部材は、防雪パネルの左右側端に外側横向きに突設した支軸とこの支軸に垂直に固定された、吊りフックを挿入可能な貫通の筒体部とからなるとともに前記筒体部が前記パネル受けブラケットの係合穴に挿入されて前記パネル受けブラケットと係合する構成であることを特徴とする。
【０００７】
請求項２の発明は、請求項１のパネル着脱式防雪柵の立ち上げ・収納時の防雪パネル着脱に際して防雪パネルを吊り上げる防雪パネル吊り上げ方法であって、
前記滑車に通した吊りワイヤの端部に、棒状体の先端部にＪ字形に屈曲した引掛け部を持つ吊りフックを取り付け、前記吊りフックを防雪パネルの係合部材の筒体部に挿入し引掛け部を筒体部の下端筒壁に係合させて、防雪パネルを吊り上げることを特徴とする。
【０００８】
請求項３の発明は、請求項１のパネル着脱式防雪柵の立ち上げ・収納時の防雪パネル着脱に際して防雪パネルを吊り上げるための防雪パネル吊り上げ装置であって、
前記滑車に通された吊りワイヤとその端部に取り付けられた吊りフックとを備えるとともに、前記吊りフックは、棒状体の先端部にＪ字形に屈曲した引掛け部を持ち、防雪パネルの係合部材の筒体部に挿入した時、前記引掛け部が筒体部の下端筒壁に係合可能であることを特徴とする。
【０００９】
請求項４は、請求項３における吊りフックが、防雪パネルの係合部材の筒体部に係合して防雪パネルを吊ったまま、パネル受けブラケットの係合穴に挿入可能な形状であることを特徴とする。
請求項５は、請求項３〜４において、吊りフックが係合部材の筒体部内を下降することを防ぐフック外れ止めを備えたことを特徴とする。
請求項６は、請求項５において、フック外れ止めが、丸棒をコ字形に折曲した形状であり、前記吊りフックの中間部に、前記フック外れ止めを挿入可能なリング体を固定したことを特徴とする。
【００１０】
請求項７は、請求項１における滑車部が、支柱の上端部に、上下に抜き差しする形で着脱可能であることを特徴とする。
請求項８は、請求項１又は７における滑車の回転面が柵面と概ね平行であることを特徴とする。
請求項９は、請求項７又は８において、支柱がＨ形鋼であり、滑車部の滑車を支持する滑車フレームが、Ｈ形鋼のフランジ部を囲む長方形筒状をなすとともに、その下側部分に、Ｈ形鋼のウエブ部をかわす切欠きを備えたことを特徴とする。
請求項１０は、請求項１、７、８又は９における滑車部に、滑車を上方から下向きコ字形に囲むコ字形断面のワイヤガイドを設けたことを特徴とする。
【発明の効果】
【００１１】
本発明によれば、吊りワイヤに取り付けた吊りフックを、防雪パネルの左右側端のほぼ中央にある係合部材の筒体部に挿入することで、当該係合部材に係合させることができ、防雪パネルを吊ることができる。
【００１２】
防雪パネルの左右側端におけるほぼ中央（係合部材）を吊るので、滑車の位置を支柱上端からあまり高くしなくても、最上段の防雪パネルを吊って支柱に取り付けることができる。また、吊り上げ距離は十分短い距離で済み、吊り上げ作業時間を短縮できる。
吊りフックを筒体部内に通して吊るので、防雪パネルを吊ったまま支柱側のパネル受けブラケットの係合穴に挿入できる。すなわち、防雪パネルを側端中央の係合部材にて吊ったままパネル受けブラケットに係合させても、吊りフックがパネル受けブラケットと干渉せず、吊りフックを外すことができる。したがって、係合部材をパネル受けブラケットに係合させる段階で、吊り替え（吊りフックを掛け直す操作）は不要である。
また、吊りフックの取り外しは、防雪パネルがパネル受けブラケットに完全に係合した後に行なうことができるので、防雪パネルが誤って落下する危険性も少ない。
また、吊りフックが係合部材の筒体部内を通って下端筒壁に係合する係合の仕方は、吊りフックがパネル受けブラケットから外れる恐れのない極めて確実な係合態様であり、防雪パネルが落下する恐れは全くない。
上記によりパネル吊り上げ作業の作業性が良好である。
【００１３】
滑車を用いるので、重量大の防雪パネルでも人力で吊り上げ可能である。したがって、クレーン車等の使用は不要であり、道路を占拠して車両通行の障害となる問題は生じない。また、防雪パネルを吊り上げるためのウインチを用いなくてもパネル吊り上げが可能である。
また、滑車を、柵面と平行な平面内で回転する向きで設ける（請求項８）ことで、吊りワイヤを牽引する作業者の作業場所は柵の近傍で済み、作業者は歩道上ですべての作業を行なうことができる。
【００１４】
請求項５によれば、吊りワイヤが緩んだ時でも、吊りフックが係合部材から外れることを防止できるので、作業性がよい。
請求項６によれば、吊りワイヤが緩んだ時の吊りフック外れ防止機構として、極めて簡単かつ操作し易いものでありながら、外れ防止機能を確実に果たすことができる。
【００１５】
請求項７のように滑車部を着脱可能にすることで、１つの滑車部で任意のスパンでパネル吊り作業を行なうことができる。
請求項９によれば、支柱にＨ形鋼を用いた場合に、簡単な構造で滑車部の着脱を容易に行なうことができる。
請求項１０によれば、滑車部の着脱が極めて容易であり、柵スパンを移動しながら防雪パネル着脱作業を行なう際の作業性が良好である。
【発明を実施するための最良の形態】
【００１６】
本発明を実施するための好適な形態を、図１〜図１３に示した一実施例のパネル着脱式防雪柵１を参照して説明する。
【実施例１】
【００１７】
図１は本発明の一実施例のパネル着脱式防雪柵１の正面図、図２は図１の右側面図、図３は図１のパネル着脱式防雪柵１の収納状態の正面図、図４は図３の拡大した右側面図である。図５は後述する滑車部を取り付けた状態での支柱上部近傍を拡大して示したもので、（イ）は正面図（但し柵スパン両側を図示）、（ロ）は（イ）の右側面図である。
このパネル着脱式防雪柵１は、道路に沿って間隔をあけて立設した支柱２間に、複数の防雪パネル３を上下に間隔をあけて着脱可能に取り付けた構成である。この実施例のパネル着脱式防雪柵１は、路面上の雪を吹き払う機能を持ついわゆる吹払式防雪柵であって、各防雪パネル３は風上側（図２の右側：路外側）が高くなる傾斜で支柱２に取り付けられている。
隣接する支柱２の上端部間は、角パイプによる幅止め材９で連結されている。後述するパネル吊り上げ時には、支柱２の上端部に図５のように、滑車５を有する滑車部６が取り付けられる。支柱２に、複数のパネル受けブラケット７を上下に間隔をあけて設け、一方、防雪パネル３の左右側端のほぼ中央に、前記パネル受けブラケット７と係合可能な係合部材８を設けている。
前記支柱２は、柵基礎に固定された下部支柱１０と、この下部支柱１０にヒンジ１２を介して柵スパン方向に回転可能な上部支柱１１とからなっている。上部支柱１１を下部支柱１０に立てる場合、上部支柱１１の下端のベースプレート１１ａ（図４参照）を下部支柱１０の受けプレート１０ａにボルトで固定する。下部支柱１０及び上部支柱１１はいずれもＨ形鋼を用いている。
【００１８】
前記防雪パネル３は、図５に示すように、パネル本体２６の両端に側枠２７をボルト２８で固定した構成である。
前記パネル受けブラケット７は、図５等に示すように、支柱２の側面に溶接固定したプレート１３にＵ字形部材を溶接固定して係合穴７ａが形成されるようにした構造である。
【００１９】
前記滑車部６の詳細を図５〜図７を参照して説明すると、この滑車部６は、Ｈ形鋼である支柱２の上端に上下に抜き差しする形で着脱可能な構造の滑車フレーム１５に、滑車５をボルト１６とナットで回転可能に取り付けている。滑車５の回転面（回転軸１６と直交する方向）は、柵面と平行である。滑車フレーム１５は、浅い溝形をなす本体部１７にＨ形鋼である支柱２のフランジ部２ａを通す中空部を形成するプレート１８を溶接固定している。前記プレート１８には、Ｈ形鋼のウエブ２ｂをかわすための溝１８ａをあけている。滑車５は、コ字形のワイヤガイド２０内に収容される形で、前記ボルト１６とナットで滑車フレーム１５に取り付けられている。また、ワイヤガイド２０の上部に、滑車５の頂部でワイヤ溝５ａを塞ぐ位置のワイヤ外れ防止用のボルト２２を貫通させ、ナットで固定している。２３、２４はナットである。ワイヤガイド２０は、滑車５がガタつかないようにして、後述の吊りワイヤ３４がガタつかないように案内する。２５はこの滑車部６を着脱する際に持つ取っ手である。
【００２０】
前記係合部材８は、図８に詳細構造を示すように、防雪パネル３の前記側枠２７に外側横向きに溶接固定した角パイプからなる支軸３０と、この支軸３０に垂直に固定された丸パイプからなる筒体部３１とからなっている。丸パイプである筒体部３１は、パネル受けブラケット７の係合穴７ａに挿入できる外径を持ち、かつ、図９に示す吊りフック３３を内部に挿入可能な内径を持つ。筒体部３１の下端近傍に、抜け止めボルト３８（図５（イ）参照）を挿入する抜け止めボルト穴３１ａをあけている。
【００２１】
前記吊りフック３３は、図９（イ）、（ロ）に示すように、細長い棒状をなし、一端側に吊りワイヤ３４に取り付ける取付部３３ａ、他端側にＪ字形に屈曲した引掛け部３３ｂを持ち、前記取付部３３ａの近傍に、図９（ハ）に示すような、丸棒をコ字形に折曲した形状のフック外れ止め３５を挿入可能なリング体３３ｃを固定している。
【００２２】
下部支柱１０には、図３、図４に示すように、防雪柵１の不使用時に防雪パネル３を収納するためのパネル収納部３６を設けている。このパネル収納部３６は、下部支柱１０に角パイプによるアーム３７を路外側に水平に延出させて固定し、このアーム３７に、支柱２のパネル受けブラケット７と同様なブラケット７’を溶接固定し、かつ、下部支柱１０にも同様なブラケット７’を溶接固定した構成である。このパネル収納部３６のブラケット７’に、防雪パネル３の左右両端の係合部材８の筒体部３１を挿入することで、各防雪パネル３を下部支柱１０の部分に垂直な姿勢で並べて収納保持できる。
防雪柵１の不使用時には、各防雪パネル３を支柱２側のパネル受けブラケット７から外して、前記パネル収納部３６に収納し、その後、幅止め材９を支柱２（上部支柱１１）から外し、上部支柱１１を水平に倒して収納状態とし、これによりパネル着脱式防雪柵１が図３、図４の収納状態となる。
【００２３】
収納状態のパネル着脱式防雪柵１を、冬季の使用時に立ち上げる要領を説明する。まず、上部支柱１１を回転させて垂直に起こし、ボルトで下部支柱１０に固定する。次いで幅止め材９を支柱２上端部間に連結する。その後、防雪パネル３の支柱２（上部支柱１１）への取り付けを行なう。
防雪パネル３の取付は、まず、パネル収納部３６の最路外側（図４で最も右側）に収容されている最上段の防雪パネル３から行なう。
その場合、図１０にも示すように、吊りワイヤ３４に取り付けた吊りフック３３を、防雪パネル３の係合部材８の筒体部３１内に挿入し、下端の引掛け部３３ｂを筒体部３１の下端筒壁に引っ掛けて、係合させる。次いで、コ字形のフック外れ止め３５を吊りフック３３のリング体３３ｃに通し、角パイプである支軸３０を図示のように上から抱く状態にする。
この状態で吊りフック３３は、フック外れ止め３５により筒体部３１内を下方に移動することがないので、図示のように吊りワイヤが緩んだ状態でも、下端の引掛け部３３ｂが筒体部３１の下端筒壁から外れる恐れはなく、作業性がよい。
【００２４】
図１０のように吊りフック３３を最上段の防雪パネル３の係合部材８に係合させた後、図１１のように、柵スパン両側の作業者がそれぞれ吊りワイヤ３４を牽引して、防雪パネル３を吊り上げる。次いで、防雪パネル３の係合部材８をパネル受けブラケット７に係合させる。
この場合、図１２に示すように、パネル受けブラケット７の上に係合部材８の筒体部３１を位置させ、下降させて図１３のように係合穴７ａに挿入して、係合部材８をパネル受けブラケット７に係合させる。このように、吊りフック３３を筒体部３１に引っ掛けたまま筒体部３１をパネル受けブラケット７の係合穴７ａに挿入することができる。なお、パネル受けブラケット７の係合穴７ａは傾斜しているので、作業者が防雪パネル３を若干傾けて筒体部３１を係合穴７ａに挿入すると、防雪パネル３は支柱２に傾斜して取り付けられる。
次いで、抜け止めボルト３８（図５（イ））を筒体部３１の抜け止めボルト穴３１ａに挿入する。次いで、フック外れ止め３５をリング体３３ｃから外して、吊りフック３３を抜き取る。
【００２５】
次いで、路外側から２番目に収納されている下から３番目の防雪パネル３を、前記と同様にして吊り上げ、パネル受けブラケット７に係合させ、抜け止めボルト３８を差し込む。
次いで、路外側から３番目に収納されている下から２番目の防雪パネル３を、同様にして吊り上げ、パネル受けブラケット７に係合させ、抜け止めボルト３８を差し込む。
次いで、路内側（図４で左側）に収納されている最下段の防雪パネル３を、同様にして吊り上げ、パネル受けブラケット７に係合させ、抜け止めボルト３８を差し込む。
以上により、パネル着脱式防雪柵１の４枚の防雪パネル３の装着を行なうことができる。
【００２６】
本発明は吹払式防雪柵に適用して好適であるが、防雪パネルの形状や傾きや上下間隔は関係しないので、吹き止め式防雪柵で遮蔽防雪面を複数の防雪パネルに分割した構造の場合にも、本発明を適用できる。
上述のパネル吊り作業は、吊りワイヤ３４を牽引する作業者が２人と、防雪パネル３の側端の係合部材８を支柱２側のパネル受けブラケット７に係合させる作業者が１人ないし２人との合計３〜４人で行なうことができる。
そして、滑車５の回転面が柵面と平行なので、吊りワイヤ３４を牽引する作業者の作業場所は柵の近傍で済む。すなわち、パネル着脱式防雪柵１の道路側（図２の左側）の狭い範囲の作業で済み、作業者は歩道上ですべての作業を行なうことができる。
次の柵スパンに移る場合、移る方向側の滑車部６は、同じ支柱２に取り付けたままで次の柵スパンのパネル吊り上げに使用できるので、反対側にある滑車部６を次の柵スパンの他方の支柱２の上端に取り付けることで、次の柵スパンのパネル吊り上げを行なうことができる。このように、滑車部６は２スパン毎に移し替えながら、各柵スパンのパネル吊り上げを行なうことができ、能率的である。
【００２７】
上述の説明では、吊りワイヤ３４を作業者が直接手で牽引する場合として説明したが、固定の下部支柱１０に取り付けた手巻きウインチで吊りワイヤ３４を牽引することもできる。
この場合、吊りワイヤ３４の両端に吊りフック３３を取り付けておくと、効率的である。すなわち、この場合、滑車５に通した吊りワイヤ３４の一端の吊りフック３３を防雪パネル３に引っ掛け、他端の吊りフック３３を手巻きウインチに引っ掛け、ウインチハンドルを回してパネル吊り上げ作業を行なうが、次の柵スパンに移動する時は、防雪パネル３側と手巻きウインチ側とを交換することで、支柱２の両側の作業に使用することができる。
支柱２の収納方式は、実施例のような構造に限らないし、さらには支柱を折り畳まない構造、あるいは取り外さない構造の場合にも適用できる。
【図面の簡単な説明】
【００２８】
【図１】本発明の一実施例のパネル着脱式防雪柵の、滑車部を取り付けていない状態の正面図である。
【図２】図１の右側面図である。
【図３】図１のパネル着脱式防雪柵の収納状態の正面図である。
【図４】図３の拡大した右側面図である。
【図５】上記パネル着脱式防雪柵の支柱上部近傍を拡大して示したもので、（イ）は正面図（但し柵スパン両側を図示）、（ロ）は（イ）の右側面図である。
【図６】上記パネル着脱式防雪柵の支柱上端部の滑車部を拡大して示したもので、（イ）は正面図、（ロ）は（イ）の要部平面図である。
【図７】図６（イ）の右側面図である。
【図８】上記パネル着脱式防雪柵における係合部材の詳細を示したもので、（イ）は一部を切り欠いた正面図、（ロ）は（イ）の右側面図である。
【図９】（イ）は上記のパネル着脱式防雪柵における防雪パネル吊り上げに用いる吊りフックの正面図、（ロ）は同右側面図、（ハ）はフック外れ止めである。
【図１０】上記のパネル着脱式防雪柵の立ち上げ・収納時に防雪パネルを吊り上げる要領を説明するもので、収納状態にある防雪パネルを吊り上げるために、防雪パネルの係合部材の筒体部に吊りフックを挿入した状態を示す斜視図である。
【図１１】防雪パネルを吊り上げている状況を説明する模式的な正面図である。
【図１２】図１１における要部の拡大図である。
【図１３】図１２の状態に続いて、防雪パネルの係合部材を支柱のパネル受けブラケットに係合させた段階の図である。
【符号の説明】
【００２９】
１  パネル着脱式防雪柵
２  支柱
３  防雪パネル
５  滑車
６  滑車部
７  パネル受けブラケット
８  係合部材
９  幅止め材
１０  下部支柱
１１  上部支柱
１２  ヒンジ
１３  プレート
１５  滑車フレーム
１６  ボルト
１７  本体
１８  プレート
１８ａ  溝
２０  ワイヤガイド
２２  ボルト
２３、２４  ナット
２５  取っ手
２６  パネル本体
２７  側枠
２８  ボルト
３０  支軸
３１  筒体部
３３  吊りフック
３３ａ  取付部
３３ｂ  引掛け部
３３ｃ  リング体
３４  吊りワイヤ
３５  フック外れ止め
３６  パネル収納部
３７  アーム
３８  抜け止めボルト
【図１】
2005155269.tif 000003
【図２】
2005155269.tif 000004
【図３】
2005155269.tif 000005
【図４】
2005155269.tif 000006
【図５】
2005155269.tif 000007
【図６】
2005155269.tif 000008
【図７】
2005155269.tif 000009
【図８】
2005155269.tif 000010
【図９】
2005155269.tif 000011
【図１０】
2005155269.tif 000012
【図１１】
2005155269.tif 000013
【図１２】
2005155269.tif 000014
【図１３】
2005155269.tif 000015